(57)【特許請求の範囲】
【請求項１】
装置本体と、装置本体に設けられ電子マネーカードを挿入するカード挿入孔と、電子マネーカードの残高を振動で表示する発振手段と、装置本体に加えられる振動を検出する振動感知手段と、振動感知手段により振動を感知すると電子マネーカードの残高を検出し当該検出残高に応じた振動を発振手段に出力させる制御手段とを有する電子マネーカードの残高表示装置であって、
前記振動感知手段が振動を感知したときは、前記振動感知手段をオフ動作させ、前記発振手段の作動を開始し、
前記発振手段の動作と同時にタイマー手段が計時動作を開始して予め決められた時間が経過すると前記発振手段が停止され、前記振動感知手段をオン動作させる前記制御手段を備える
電子マネーカードの残高表示装置。
【請求項２】
装置本体と、装置本体に設けられ電子マネーカードを挿入するカード挿入孔と、電子マネーカードの残高を振動で表示する発振手段と、装置本体に加えられる振動を検出する振動感知手段と、振動感知手段により振動を感知すると電子マネーカードの残高を検出し当該検出残高に応じた振動を発振手段に出力させる制御手段とを有する電子マネーカードの残高表示装置において、
前記振動感知手段が振動を感知し、前記振動感知手段をオフ動作し、前記発振手段の作動を開始し、前記発振手段の動作と同時にタイマー手段が計時動作を開始し、予め決められた時間が経過すると前記発振手段が停止し、前記振動感知手段をオン動作するものである電子マネーカードの残高表示方法。
【発明の詳細な説明】
【０００１】
【発明の属する技術分野】
本発明は、電子マネーカードの残高表示方法及び装置、特にユーザが金融機関まで行くことなく簡易に電子マネーカードの残高をしることが可能な電子マネーカードの残高表示方法及び装置に関するものである。
【０００２】
【従来の技術】
近年経済活動の高度化、活発化が促され、一般の商取引においても現金決済を行なうことなく電子的な金額データを変更することにより処理を行なう、いわゆる電子マネーカードを使った決済方法が採用されるようになってきている。このような電子マネーカードにおいては、ユーザが保有する金額がデータ化されているため、残高を知るためには電子マネーカードの残高表示装置としてのカードリーダーによって行なう。従来の残高を知るためのカードリーダーとしては、例えば図２０に示すようなものがある。このカードリーダーは、装置本体１の前面に設けられたカード挿入孔２と、表示部３とを有して成り、カードリーダーから電子マネーカードを挿入することによってカードリーダーがその残高データを読み取り、残高を表示部３に表示するようになっている。このようなカードリーダーは、通常銀行などの金融機関に備え付けられており、ユーザは自己の残高を知りたいときは金融機関へ出掛けてカードリーダーで読み取り残高を知ることができる。
【０００３】
【発明が解決しようとする課題】
しかしながら、上記のような従来の電子マネーカードの残高表示装置にあっては、金融機関に備え付けられたカードリーダーによって残高表示の役割を果たしているものであるから、ユーザは自己の残高を知るためにはわざわざ金融機関まで出掛けなければならない。一方、ユーザ側にとっては、自己が保有する金額がデータ化されているため、電子マネーカードを持っているだけでは残高を知ることができないにも拘らず、しかも時と場合によっては何時でも、何処でも簡単に残高を知りたいということもある。
【０００４】
本発明は上記従来の問題点に鑑みてなされたもので、その目的は電子マネーカードの残高を読み取ってユーザに知らせることの可能な電子マネーカードの残高表示方法及び装置を提供することである。
【０００５】
【課題を解決するための手段】
本発明は、上記目的を達成するために、電子マネーカードの残高表示装置を、装置本体と、装置本体に設けられ電子マネーカードを挿入するカード挿入孔と、電子マネーカードの残高を振動で表示する発振手段と、装置本体に加えられる振動を検出する振動感知手段と、振動感知手段により振動を感知すると電子マネーカードの残高を検出し当該検出残高に応じた振動を発振手段に出力させる制御手段とにより構成し、前記振動感知手段が振動を感知したときは、前記振動感知手段をオフ動作させ、前記発振手段の作動を開始し、前記発振手段の動作と同時にタイマー手段が計時動作を開始して予め決められた時間が経過すると前記発振手段が停止され、前記振動感知手段をオン動作させる前記制御手段を備えることを要旨とする。
【０００６】
そして、かかる構成により、装置本体のカード挿入孔に電子マネーカードを挿入することにより、装置本体に振動を加えると、この振動を振動感知手段が検出し、この検出信号に基づいて電子マネーカードの残高表示装置が起動して発振手段が電子マネーカードの残高に対応する振動を出力することにより残高表示を行なう。また、振動感知手段が振動を感知したときは、制御手段が振動感知手段をオフ動作させ、前記発振手段の作動を開始し、前記発振手段の動作と同時にタイマー手段が計時動作を開始して予め決められた時間が経過すると前記発振手段が停止され、前記振動感知手段をオン動作させる。
【０００７】
なお残高表示の方法或いは態様としては、音を出力する方法、或いは振動を発する方法等がある。
【０００８】
【発明の実施の形態】
本発明の請求項１に記載の発明は、電子マネーカードの残高を表示するために、装置本体と、装置本体に設けられ電子マネーカードを挿入するカード挿入孔と、電子マネーカードの残高を振動で表示する発振手段と、装置本体に加えられる振動を検出する振動感知手段と、振動感知手段により振動を感知すると電子マネーカードの残高を検出し当該検出残高に応じた振動を発振手段に出力させる制御手段とを有する電子マネーカードの残高表示装置であって、前記振動感知手段が振動を感知したときは、前記振動感知手段をオフ動作させ、前記発振手段の作動を開始し、前記発振手段の動作と同時にタイマー手段が計時動作を開始して予め決められた時間が経過すると前記発振手段が停止され、前記振動感知手段をオン動作させる前記制御手段を備えたものであり、簡単な操作で電子マネーカードの残高が明瞭に確認でき、また音や光といった他人にもわかる媒体を避けることにより他人に迷惑をかけずに残高表示が行なえるという作用を有する。
【０００９】
本発明の請求項２に記載の発明は、装置本体と、装置本体に設けられ電子マネーカードを挿入するカード挿入孔と、電子マネーカードの残高を振動で表示する発振手段と、装置本体に加えられる振動を検出する振動感知手段と、振動感知手段により振動を感知すると電子マネーカードの残高を検出し当該検出残高に応じた振動を発振手段に出力させる制御手段とを有する電子マネーカードの残高表示装置において、前記振動感知手段が振動を感知し、前記振動感知手段をオフ動作し、前記発振手段の作動を開始し、前記発振手段の動作と同時にタイマー手段が計時動作を開始し、予め決められた時間が経過すると前記発振手段が停止し、前記振動感知手段をオン動作するものである電子マネーカードの残高表示方法であり、振動を与えるという簡単な操作で残高を振動によって明瞭に表示し、また音や光といった他人にもわかる媒体を避けることにより他人に迷惑をかけずに残高表示が行なえるという作用を有する。
【００２４】
以下、本発明の実施の形態を図面を参照して説明する。
【００２５】
（実施の形態１）
図１は本発明の第１の実施の形態における電子マネーカードの残高表示装置  （以下、単に残高表示装置という）の外観構成を表す斜視図である。図１において、符号１１は装置本体、１２は発光手段としての発光部、１３は発光部１２を所定の規則にしたがって発光させるパターンデータが入力される入力部、１４は残高表示装置の装置本体１１の上面に開口を持ち装置本体１１の内部に形成された空洞から成るカード挿入部である。発光部１２は、装置本体１１の上面縁部に設けられた複数の発光体１２ａ、１２ｂ、１２ｃから成り、それぞれの発光体１２ａ、１２ｂ、１２ｃは互いに異なる色で発光するように設置されている。またこれらの発光体１２ａ、１２ｂ、１２ｃとしては、例えば発光ダイオードが用いられる。なお、これとは別に発光部を１個の発光装置で構成し、この１台の発光装置が制御信号により複数の異なる色で発光するようにすることもできる。また、入力部１３は装置本体１１の側面に設けられている。
【００２６】
図２は本発明の上記第１の実施の形態における電子マネーカードの残高表示装置の回路構成を示すブロック図である。図２において、符号１２は上記した発光部、１３は入力部である。また、１５は入力部１３から入力された発光パターンデータが格納される記憶部、１６は電子マネーカードから読み込まれた残高データが格納される残高記憶部、１７は装置本体に加えられる振動を検出する振動感知部、１８は発光部１２の動作時間を計測するタイマ部、１９は残高表示装置全体の動作をコントロールする制御部である。
【００２７】
記憶部１５には発光部１２の発光パターンデータを格納するために所定のフォーマットのテーブルが設けられている。図３はこの記憶部１５に発光部１２の発光パターンデータを格納するテーブルの一例を示す図である。このテーブル２０は、レコード番号が書き込まれるレコード番号欄２１と、金額が書き込まれる金額欄２２と、発光パターンが書き込まれる発光パターン欄２３とから構成される。そして、レコード番号欄２１にはレコード番号（記録番号）として１、２、３、４、５の番号が記憶される。金額欄２２には残高を所定の金額範囲毎に分類（すなわち区分け）して金額が記憶される。図３の事例ではレコード番号１では金額が５００円、レコード番号２では金額が１０００円、レコード番号３では金額が５０００円、レコード番号４では金額が１００００円、レコード番号５では金額が１０００００円となるようにデータが書き込まれている。そして残高表示にあたっては、残高が上記金額の範囲にあることをユーザに表示（或いは通知）するようになっている。例えば、ユーザの残高が現在６０００円であるときは、上記テーブル２０のレコード番号３が読み出されてユーザに残高が５０００円以上であることを表示する。またこれとは異なり、上記と同じくユーザの残高が現在６０００円であるときは、上記テーブル２０のレコード番号４が読み出されてユーザに残高が１００００円を下回った状態にある（すなわち、５０００円以上である）ことを表示するようにしてもよい。さらに、金額欄２２の金額範囲毎の分類は、上記の例とは異なった分類にすることもでき、また金額項目も上記５種類よりも多くても少なくてもよい。
【００２８】
また発光パターン欄２３には残高を表示するための発光パターンが記憶される。図３の事例ではレコード番号１では発光パターンとしてａ、レコード番号２では発光パターンとしてｂ、レコード番号３では発光パターンとしてｃ、レコード番号４では発光パターンとしてｄ、レコード番号５では発光パターンとしてｅのデータが書き込まれている。発光パターンとしては色が採用され、例えば「ａ」は赤、「ｂ」は黄、「ｃ」は青、・・・・というように、各パターンａ〜ｅに対して異なる色を割り当てるようにしている。さらにこの色違いの発光パターンは図１に示された発光体１２ａ、１２ｂ、１２ｃに対応させ、各色に対していずれかの発光体を点灯させるようにすることもできる。またこの発光パターンとは異なり発光部１２の発光動作を点滅方式とし、点滅の間隔時間の違いや、点滅のリズムを発光パターンに採用してもよく、さらには上記「色」と、「点滅」を組み合わせた表示とすることもできる。
【００２９】
かかる構成を有する電子マネーカードの残高表示装置の動作について以下説明する。図４は本実施の形態による残高表示装置の残高表示動作を説明するフロー図である。電子マネーカードがカード挿入部１４に差し込まれ、装置本体１１に振動か加えられることにより残高表示動作が開始されると、処理ステップ（以下、単にステップという）ＳＴ２１においてカード読み込みが実行され、続くステップＳＴ２２において記憶部１５のテーブル２０からレコードすなわち発光パターン等の記憶データが抽出される。制御部１９は残高記憶部１６のデータと記憶部１５のテーブル２０のデータとを照合してどの発光パターンで発光部１２を点灯させるかを決定する。
【００３０】
そして、ステップＳＴ２３において振動感知部１７が振動を感知したか否かをチェックする。このチェック動作において振動感知部１７が振動を感知していない場合は振動が感知されるまで繰り返し振動感知の有無のチェックが行なわれる。他方、ステップＳＴ３２のチェック動作において振動感知部１７が振動を感知したと判断されたときは、次のステップＳＴ２４において振動感知部１７をオフ動作させ、次いでステップＳＴ２５において発光部１２へ出力が開始されこの発光部１２が点灯作動する。このとき、発光部１２においては、上記制御部１９において決定された発光パターンに対応する発光体が点灯する。例えば図３を参照した上述の事例によれば、残高が６０００円であれば上記テーブル２０のレコード番号３のデータが読み出されて発光パターンｃの発光体１２ｃが青く点灯し、ユーザに残高が５０００円以上であることを表示する。これと同時にステップＳＴ２６においてタイマー部１８が計時動作を開始し一定時間をカウントする。そして予め決められた時間が経過するとステップＳＴ２７においてタイマー部１８が動作を終了し、これにともないステップＳＴ２８において発光部１２への出力が停止される。その後制御部１９は、ステップＳＴ２９において振動感知部１７をオン動作させ、再び振動を感知できる状態に設定し直してから一連の発光動作、すなわち残高表示動作を終了させる。
【００３１】
図５は本実施の形態による発光パターンデータ入力動作を説明するフロー図である。この発光パターンデータ入力動作は、記憶部１５内のテーブル２０のデータを書き換えて、例えば金額欄２２の金額範囲毎の分類を上記の例とは異なった分類にしたり、金額項目を増減したり、或いは発光パターン欄２３のデータを変更するために行なうものである。この動作が開始されると、ステップＳＴ３１において発光パターンデータの入力が実行され、続くステップＳＴ３２において入力されたデータは適正であるか否かをチェックする。このチェック動作においてデータが適正であると判断されたときはステップＳＴ３３において記憶部１５に入力データが記録され、元のデータは更新され、その後発光パターンデータ入力動作を終了する。他方、ステップＳＴ３２のチェック動作において入力データは適正でないと判断されたときは直ちに発光パターンデータ入力動作を終了する。
【００３２】
（実施の形態２）
図６は本発明の第２の実施の形態における電子マネーカードの残高表示装置  の外観構成を表す斜視図である。図６において、符号１１は装置本体、３５は発振手段としての振動発生部、１３は振動発生部３５を所定の規則にしたがって発光させるパターンデータが入力される入力部、１４は残高表示装置の装置本体１１の上面に開口を持ち装置本体１１の内部に形成された空洞から成るカード挿入部である。振動発生部３５は、装置本体１１の内部底面近辺、カード挿入部１４よりもさらに下方位置に設けられている。またこの振動発生部３５としては、例えばモータにより駆動されるロータ等の振動体が用いられる。また、入力部１３は装置本体１１の側面に設けられている。
【００３３】
図７は本発明の上記第２の実施の形態における電子マネーカードの残高表示装置の回路構成を示すブロック図である。図２において、符号２０は上記した振動発生部、１３は入力部である。また、１５は入力部１３から入力された発光パターンデータが格納される記憶部、１６は電子マネーカードから読み込まれた残高データが格納される残高記憶部、１７は装置本体に加えられる振動を検出する振動感知部、１８は振動発生部３５の動作時間を計測するタイマ部、１９は残高表示装置全体の動作をコントロールする制御部である。
【００３４】
記憶部１５には振動発生部３５の振動パターンデータを格納するために所定のフォーマットのテーブル３６が設けられている。図８はこの記憶部１５に振動発生部３５の振動パターンデータを格納するテーブルの一例を示す図である。このテーブル３６は、レコード番号が書き込まれるレコード番号欄３７と、金額が書き込まれる金額欄３８と、振動パターンが書き込まれる振動パターン欄３９とから構成される。そして、レコード番号欄３７にはレコード番号（記録番号）として１、２、３、４、５の番号が記憶される。金額欄３８には残高を所定の金額範囲毎に分類（すなわち区分け）して金額が記憶される。図８の事例ではレコード番号１では金額が５００円、レコード番号２では金額が１０００円、レコード番号３では金額が５０００円、レコード番号４では金額が１００００円、レコード番号５では金額が１０００００円となるようにデータが書き込まれている。そして残高表示にあたっては、残高が上記金額の範囲にあることをユーザに表示（或いは通知）するようになっている。例えば、ユーザの残高が現在６０００円であるときは、上記テーブル３６のレコード番号３が読み出されてユーザに残高が５０００円以上であることを表示する。またこれとは異なり、上記と同じくユーザの残高が現在６０００円であるときは、上記テーブル３６のレコード番号４が読み出されてユーザに残高が１００００円を下回った状態にある（すなわち、５０００円以上である）ことを表示するようにしてもよい。さらに、金額欄３８の金額範囲毎の分類は、上記の例とは異なった分類にすることもでき、また金額項目も上記５種類よりも多くても少なくてもよい。
【００３５】
また振動パターン欄３９には残高を表示するための振動パターンが記憶される。図８の事例ではレコード番号１では振動パターンとしてｆ、レコード番号２では振動パターンとしてｇ、レコード番号３では振動パターンとしてｈ、レコード番号４では振動パターンとしてｉ、レコード番号５では振動パターンとしてｊのデータが書き込まれている。振動パターンとしては振動の強弱、或いは振動の周波数が採用され、例えば「ｆ」は強い振動、「ｇ」は中位の強さの振動、「ｈ」は弱い振動、・・・・というように、各パターンｆ〜ｊに対して異なる強さの振動を割り当てるようにしている。または周波数の高い振動、周波数の中位の振動、周波数の低い振動というように区分けして振動を割り当てるようにしている。さらにこの強さが異なった振動パターン或いは周波数の異なった振動パターンは図６および図７に示された振動発生部３５の動作を制御することによって実現される。また上記振動の強弱パターンと周波数の高低パターンを組み合わせた表示とすることもできる。
【００３６】
かかる構成を有する電子マネーカードの残高表示装置の動作について以下説明する。図９は本実施の形態による残高表示装置の残高表示動作を説明するフロー図である。電子マネーカードがカード挿入部１４に差し込まれ、装置本体１１に振動か加えられることにより残高表示動作が開始されると、ステップＳＴ４１においてカード読み込みが実行され、続くステップＳＴ４２において記憶部１５のテーブル３６からレコードすなわち振動パターン等の記憶データが抽出される。制御部１９は残高記憶部１６のデータと記憶部１５のテーブル３６のデータとを照合してどの振動パターンで振動発生部３５を点灯させるかを決定する。
【００３７】
そして、ステップＳＴ４３において振動感知部１７が振動を感知したか否かをチェックする。このチェック動作において振動感知部１７が振動を感知していない場合は振動が感知されるまで繰り返し振動感知の有無のチェックが行なわれる。他方、ステップＳＴ３２のチェック動作において振動感知部１７が振動を感知したと判断されたときは、次のステップＳＴ４４において振動感知部１７をオフ動作させ、次いでステップＳＴ４５において振動発生部３５へ出力が開始されこの振動発生部３５が作動を開始する。このとき、振動発生部３５においては、上記制御部１９において決定された振動パターンに対応する強さ或いは周波数で振動体が作動する。例えば図８を参照した上述の事例によれば、残高が６０００円であれば上記テーブル３６のレコード番号３のデータが読み出されて振動パターンｃの強さ或いは周波数で振動体が作動し、ユーザに残高が５０００円以上であることを表示する。これと同時にステップＳＴ４６においてタイマー部１８が計時動作を開始し一定時間をカウントする。そして予め決められた時間が経過するとステップＳＴ４７においてタイマー部１８が動作を終了し、これにともないステップＳＴ４８において振動発生部３５への出力が停止される。その後制御部１９は、ステップＳＴ４９において振動感知部１７をオン動作させ、再び振動を感知できる状態に設定し直してから一連の発振動作、すなわち残高表示動作を終了させる。
【００３８】
なお本実施の形態においても振動パターンデータを入力或いは更新動作を実行することができるが、この処理動作は上記第１の実施の形態において図５を用いて説明したのと同様であり、入力するデータが振動パターンデータである点が異なるのみであるから、説明は省略する。
【００３９】
（実施の形態３）
図１０は本発明の第３の実施の形態における電子マネーカードの残高表示装置の外観構成を表す斜視図である。図１０において、符号１１は装置本体、５０は音声出力手段としての音発生部、１３は音声発生部５０を所定の規則にしたがって発光させるパターンデータが入力される入力部、１４は残高表示装置の装置本体１１の上面に開口を持ち装置本体１１の内部に形成された空洞から成るカード挿入部である。音声発生部５０は、装置本体１１の内部底面近辺、カード挿入部１４よりもさらに下方位置に設けられている。またこの音声発生部５０としては、例えばスピーカ等の発音体が用いられる。また、入力部１３は装置本体１１の側面に設けられている。
【００４０】
図７は本発明の上記第２の実施の形態における電子マネーカードの残高表示装置の回路構成を示すブロック図である。図２において、符号２０は上記した振動発生部、１３は入力部である。また、１５は入力部１３から入力された発光パターンデータが格納される記憶部、１６は電子マネーカードから読み込まれた残高データが格納される残高記憶部、１７は装置本体に加えられる振動を検出する振動感知部、１８は音声発生部５０の動作時間を計測するタイマ部、１９は残高表示装置全体の動作をコントロールする制御部である。
【００４１】
記憶部１５には音声発生部５０の音声パターンデータを格納するために所定のフォーマットのテーブル５１が設けられている。図１２はこの記憶部１５に音声発生部５０の音声パターンデータを格納するテーブルの一例を示す図である。このテーブル５１は、レコード番号が書き込まれるレコード番号欄５２と、金額が書き込まれる金額欄５３と、音声パターンが書き込まれる音声パターン欄５４とから構成される。そして、レコード番号欄５２にはレコード番号（記録番号）として１、２、３、４、５の番号が記憶される。金額欄５３には残高を所定の金額範囲毎に分類（すなわち区分け）して金額が記憶される。図８の事例ではレコード番号１では金額が５００円、レコード番号２では金額が１０００円、レコード番号３では金額が５０００円、レコード番号４では金額が１００００円、レコード番号５では金額が１０００００円となるようにデータが書き込まれている。そして残高表示にあたっては、残高が上記金額の範囲にあることをユーザに表示  （或いは通知）するようになっている。例えば、ユーザの残高が現在６０００円であるときは、上記テーブル５１のレコード番号３が読み出されてユーザに残高が５０００円以上であることを表示する。またこれとは異なり、上記と同じくユーザの残高が現在６０００円であるときは、上記テーブル５１のレコード番号４が読み出されてユーザに残高が１００００円を下回った状態にある（すなわち、５０００円以上である）ことを表示するようにしてもよい。さらに、金額欄５３の金額範囲毎の分類は、上記の例とは異なった分類にすることもでき、また金額項目も上記５種類よりも多くても少なくてもよい。
【００４２】
また音声パターン欄５４には残高を表示するための音声パターンが記憶される。図１２の事例ではレコード番号１では音声パターンとしてｋ、レコード番号２では音声パターンとしてｍ、レコード番号３では音声パターンとしてｎ、レコード番号４では音声パターンとしてｐ、レコード番号５では音声パターンとしてｑのデータが書き込まれている。音声パターンとしては音声の強弱、或いは音声の周波数が採用され、例えば「ｆ」は強い音声、「ｇ」は中位の強さの音声、「ｈ」は弱い音声、・・・・というように、各パターンｋ，ｍ，ｎ，ｐ，ｑに対して異なる強さの音声を割り当てるようにしている。または周波数の高い音声、周波数の中位の音声、周波数の低い音声というように区分けして音声を割り当てるようにしている。さらにこの強さが異なった音声パターン或いは周波数の異なった音声パターンは図１０および図１１に示された音声発生部５０の動作を制御することによって実現される。また上記音声の強弱パターンと音声周波数の高低パターンを組み合わせた表示とすることもできる。
【００４３】
かかる構成を有する電子マネーカードの残高表示装置の動作について以下説明する。図１３は本実施の形態による残高表示装置の残高表示動作を説明するフロー図である。電子マネーカードがカード挿入部１４に差し込まれ、装置本体１１に音声か加えられることにより残高表示動作が開始されると、ステップＳＴ６１においてカード読み込みが実行され、続くステップＳＴ６２において記憶部１５のテーブル５１からレコードすなわち音声パターン等の記憶データが抽出される。制御部１９は残高記憶部１６のデータと記憶部１５のテーブル５１のデータとを照合してどの音声パターンで音声発生部５０を点灯させるかを決定する。
【００４４】
そして、ステップＳＴ６３において振動感知部１７が振動を感知したか否かをチェックする。このチェック動作において振動感知部１７が振動を感知していない場合は音声が感知されるまで繰り返し音声感知の有無のチェックが行なわれる。他方、ステップＳＴ３２のチェック動作において振動感知部１７が振動を感知したと判断されたときは、次のステップＳＴ６４において振動感知部１７をオフ動作させ、次いでステップＳＴ６５において音声発生部５０へ出力が開始されこの音声発生部５０が作動を開始する。このとき、音声発生部５０においては、上記制御部１９において決定された音声パターンに対応する強さ或いは周波数で発音体が作動する。例えば図１２を参照した上述の事例によれば、残高が６０００円であれば上記テーブル５１のレコード番号３のデータが読み出されて音声パターンｃの強さ或いは周波数で発音体が作動し、ユーザに残高が５０００円以上であることを表示する。これと同時にステップＳＴ６６においてタイマー部１８が計時動作を開始し一定時間をカウントする。そして予め決められた時間が経過するとステップＳＴ６７においてタイマー部１８が動作を終了し、これにともないステップＳＴ６８において音声発生部５０への出力が停止される。その後制御部１９は、ステップＳＴ６９において振動感知部１７をオン動作させ、再び振動を感知できる状態に設定し直してから一連の発音声作、すなわち残高表示動作を終了させる。
【００４５】
なお本実施の形態においても音声パターンデータの入力或いは更新動作を実行することができるが、この処理動作は上記第１の実施の形態において図５を用いて説明したのと同様であり、入力するデータが音声パターンデータである点が異なるのみであるから、説明は省略する。
【００４６】
【発明の効果】
以上説明したように、本発明によれば、電子マネーカードの残高表示装置を、装置本体と、装置本体に設けられ電子マネーカードを挿入するカード挿入孔と、電子マネーカードの残高を色で表示する発光手段と、装置本体に加えられる振動を検出する振動感知手段と、振動感知手段により振動を感知すると電子マネーカードの残高を検出し当該検出残高に応じた発光手段を発光させる制御手段とにより構成し、装置本体のカード挿入孔に電子マネーカードを挿入することにより、装置本体に振動を加えると、この振動を振動感知手段が検出し、この検出信号に基づいて電子マネーカードの残高表示装置が起動して発光手段が電子マネーカードの残高に対応する色で発光することにより残高表示を行なうようにし、或いは残高表示装置が起動して振動、または音声により残高表示を行なうようにしたため、簡単且つ手軽な操作で電子マネーカードの残高を表示することができるという効果が得られる。
【図面の簡単な説明】
【図１】本発明の第１の実施の形態における電子マネーカードの残高表示装置の外観構成を示す斜視図
【図２】前記実施の形態における電子マネーカードの残高表示装置の回路構成を表すブロック図
【図３】前記実施の形態における電子マネーカードの残高表示装置の記憶部に発光部の発光パターンデータを格納するテーブルの一例を示す図
【図４】前記実施の形態における電子マネーカードの残高表示装置の残高表示動作を説明するフロー図
【図５】前記実施の形態における電子マネーカードの残高表示装置における発光パターンデータ入力動作を説明するフロー図
【図６】本発明の第２の実施の形態における電子マネーカードの残高表示装置の外観構成を示す斜視図
【図７】前記第２の実施の形態における電子マネーカードの残高表示装置の回路構成を表すブロック図
【図８】前記第２の実施の形態における電子マネーカードの残高表示装置の記憶部に振動発生部の振動パターンデータを格納するテーブルの一例を示す図
【図９】前記第２の実施の形態における電子マネーカードの残高表示装置の残高表示動作を説明するフロー図
【図１０】本発明の第３の実施の形態における電子マネーカードの残高表示装置の外観構成を示す斜視図
【図１１】前記第３の実施の形態における電子マネーカードの残高表示装置の回路構成を表すブロック図
【図１２】前記第３の実施の形態における電子マネーカードの残高表示装置の記憶部に音声発生部の音声パターンデータを格納するテーブルの一例を示す図
【図１３】前記第３の実施の形態における電子マネーカードの残高表示装置の残高表示動作を説明するフロー図
【符号の説明】
１１  装置本体
１２  発光部（発光手段）
１３  入力部
１４  カード挿入部
１５  記憶部
１６  残高記憶部
１７  振動感知部
１８  タイマ部
１９  制御部
【図１】
0003957861.tif 000002
【図２】
0003957861.tif 000003
【図３】
0003957861.tif 000004
【図４】
0003957861.tif 000005
【図５】
0003957861.tif 000006
【図６】
0003957861.tif 000007
【図７】
0003957861.tif 000008
【図８】
0003957861.tif 000009
【図９】
0003957861.tif 000010
【図１０】
0003957861.tif 000011
【図１１】
0003957861.tif 000012
【図１２】
0003957861.tif 000013
【図１３】
0003957861.tif 000014